(57)【要約】【目的】内容物を取出すと特定のイメージが現われる包装体。【構成】包装体10は表裏のフィルム11，12を備え，これらの間に被包装物を入れることができる。被包装物を取去ると２つのフィルム11，12は互いに重なる。これらのフィルムのうちの少なくとも一方は透明な部分を有し，これらのフィルムには，文字，図形，記号およびこれらの組合せのうちの少なくとも一つを含む特定のイメージ13Ａの一部を含む部分イメージ11Ａ，12Ａが単独では特定のイメージを表わさず，重ね合わされたときに特定のイメージを表わすように描かれている。【選択図】図３
2014114051.tif 000002
【特許請求の範囲】
【請求項１】
それらの間に被包装物を入れることができ，かつ被包装物を取去ると互いに重なるように組合わされた少なくとも２枚のフィルムを備え，
これらのフィルムのうちの少なくとも一方は透明な部分を有し，
これらのフィルムには，文字，図形，記号およびこれらの組合せのうちの少なくとも一つを含む特定のイメージの一部を含む部分イメージが単独では上記特定のイメージを表わさず，重ね合わされたときに上記特定のイメージを表わすように描かれている，
包装体。
【発明の詳細な説明】
【技術分野】
【０００１】
この発明は，キャンディ，クッキー等の菓子類等の固形物，米，麦等の穀物，粉状体，粒状体，液体，飲食物か否かを問わず様々な物質，物体を収容，収納ないしは包装する包装体に関する。
【背景技術】
【０００２】
一般に包装体の表面には，収容物を明示または暗示する説明，絵柄等が描かれている。これらの説明，絵柄等は興味をそそる，人目を引く，魅力的，きれい，美しい，好ましいというような観点から創作されることが多いが，あくまでも美術的，意匠的なものである。
【０００３】
一方，割符の組み合わせ籤というのがある（特許文献１）。これは「電子的割符」を用いるものである。電子的割符とは，ある情報を複数に分割し，それぞれ分割されたものだけでは情報を復元することができないが，分割された情報を組み合わせると元の情報を復元できるという技術であり，この特許文献１には画像を例として電子的割符の作り方が数学的に説明されている。
【先行技術文献】
【特許文献】
【０００４】
【特許文献１】特開２００２−１６０４７９号公報
【０００５】
しかしながら，この特許文献１に記載されているものは理論にとどまり，未だ具体的技術思想としての発明に至っていないものである。
【発明の開示】
【０００６】
この発明は単なる意匠ではなく，内容物（被包装物）が包装されている状態では特定の意味を持つイメージではないが，一旦内容物が取出されると特定の意味を持つイメージが現れることにより，興味をそそる新しい包装体を提供するものである。
【０００７】
この発明による包装体は，それらの間に被包装物を入れることができ，かつ被包装物を取去ると互いに重なるように組合わされた少なくとも２枚のフィルムを備え，これらのフィルムのうちの少なくとも一方は透明な部分を有し，これらのフィルムには，文字，図形，記号およびこれらの組合せのうちの少なくとも一つを含む特定のイメージの一部を含む部分イメージが単独では上記特定のイメージを表わさず，重ね合わされたときに上記特定のイメージを表わすように描かれているものである。
【０００８】
少なくとも２枚のフィルムは一般的には包装体の表裏面を形成するフィルムであるが，それらの間に１枚または複数枚のフィルムが存在していてもよい。フィルムとはシート，紙，膜等で呼ばれるものを含み，その材質を問わない。すべてのフィルムが透明な部分を有していてもよい。フィルム全体が透明でもよい。透明とは少なくとも２枚のフィルムが重ね合わされたときに他方のフィルム上の部分イメージの少なくとも一部が透けて見え，少なくとも２枚のフィルムの部分イメージが合成可能であることを意味するので，半透明でもよい場合もある。少なくとも２枚のフィルムはその全周囲にわたって結合（接着，溶着）しているもののみならず，一部において結合せず空いているものでもよい。たとえば，やや弾性のある表裏２枚のフィルムがその両側で結合しており，上，下両端が開いているものでもよい。
【０００９】
特定のイメージは文字，図形，記号およびこれらの組合せのうちの少なくとも一つを含むものであるから，人間にとって判読可能（意味をとることが可能，理解可能，認識可能）なものである。文字とは複数の文字，すなわち句，節，文章を含む。図形とは図柄，絵画，写真，イラスト等を含む。記号は数字を含む。文字，図形，記号およびこれらの組合せは白黒，グレー・レベルのみならず色彩を施されたものを含む。したがって，部分イメージを重ねて合成したときに，複数の異なる色が重なってさらに他の色に見えて特定のイメージを表わすことになることも含まれる。
【００１０】
部分イメージは単独では上記特定のイメージを表わさないとは，最も好適な実施態様では判読不可能なイメージ，半端なイメージであるが，上記特定のイメージとは異なる他の判読可能なイメージを表わすものであってもよい。
【００１１】
一般的には，部分イメージは上記特定のイメージを多数の小さな部分に分割（分解）してその一部をランダムに，または法則性をもって抽出した（取出した）ものとして作成されるが，比較的広い領域で分けたものでもよいし，一部は色彩を分解したものでもよい。
【００１２】
包装体の中には，少なくとも２枚のフィルムを重ね合わせても上記特定のイメージが現われないものが含まれていてもよいのはいうまでもない。
【００１３】
この発明によると，包装体内に被包装物（内容物）が包装されている状態では部分イメージしか見えず特定イメージは分らない。被包装物を取出すと，少なくとも２枚のフィルムが重なり，これによって少なくとも２枚のフィルムに描かれている部分イメージが重なって特定のイメージが現われる。
【００１４】
特定のイメージは人間にとって判読可能なもの，すなわちイメージによって表わされる意味内容を理解できるものである。したがって，消費者は特定イメージを見るために包装体内の内容物を早く取出す（消費する）ようになる。内容物が早く消費されるのでその価値が早く生かされることになるとともに，この発明による包装体で包装された物を購入する消費者が多くなり，販売が促進される。
【図面の簡単な説明】
【００１５】
【図１】実施例による包装体としての包装袋の例を示す。
【図２】包装袋の内容物を取り去った状態を示す。
【図３】部分イメージ，それにより合成されて得られる特定イメージの例を示す。
【図４】部分イメージ，それにより合成されて得られるイメージの他の例を示す。
【図５】部分イメージ，それにより合成されて得られる特定イメージのさらに他の例を示す。
【実施例】
【００１６】
図１は包装体の一例として三方シールの包装袋を示している。
【００１７】
この包装袋10は１枚の合成樹脂フィルムをその中央で折り線が一側となるように２つに折り，他側および両端部をシール（たとえば熱溶着）することにより密封状に形成されている（シール部を交叉する二重ハッチングにより示す）。この包装袋10の内部にはクッキー，ビスケット等の菓子（被包装物または内容物）が入っている。被包装物の包装袋による包装は，１枚のフィルムを折る前にフィルム上に被包装物を置き，その後２つに折ってシールしてもよいし，２辺をシールして口の開いた筒状体を形成し，この中に被包装物を入れ，最後に口を閉じるようにしてもよいし，さまざまな包装のやり方がある。
【００１８】
包装袋10を形成するフィルムは透明である。淡い色がついていてもよい。包装袋10は表面側フィルム11と裏面側フィルム12（図３参照）を有する。
【００１９】
包装袋10の一側には開封用の切込み（切欠き）15が形成されている。この包装袋10は，好ましくは切込み15から横方向に引裂が容易となる構造（易引裂性）である。したがって，切込み15から包装袋10を引裂いて内容物19を外に取出すことができる。引裂方向は横方向でも縦方向でもよい。
【００２０】
包装袋10の表面側フィルム11には何かの模様らしき絵柄（図柄）（部分イメージ）11Ａが描かれている（印刷されている）が普通の感覚ではその意味（もしあるとして）を把握することはできない（判読不可能）。包装袋10を開封して内容物を抜取ると，包装袋10の表面側フィルム11が裏面側フィルム12に直接に重なり，裏面側フィルム12に描かれている絵柄（図柄）（部分イメージ）12Ａと表面側フィルム11の絵柄11Ａとが重なり，図２に示すように，意味の分る絵柄（特定イメージ）13Ａが現われる。ここでは，多重同心円上に「当たり」という文字が視認できる。
【００２１】
図３は，表面側フィルム11の絵柄11Ａと裏面側フィルム12の絵柄12Ａと，これらを重ねることにより現われる絵柄（文字を含む）13Ａとを示している（両フィルム11，12が重なったものを符号13で示す）。図３には図１のシール以外の部分のみ示されている。
【００２２】
重ねて合成されることにより最終的に現われる絵柄13Ａ（特定イメージ）は，文字，図形，記号およびこれらの組合せ（色彩を含む）の少なくとも一つを含むものであり，したがって人間がそれをみて，表わされているものの意味を理解することができる（判読可能）。このような特定イメージを構成する部分イメージ11Ａ，12Ａを作るには，たとえば次のように行なえばよい。
【００２３】
すなわち，図３を参照して，特定イメージ13Ａを作成して，この特定イメージ13Ａを多数の小さな要素（部分）（図示の例では１ドットずつ）に分け，これらの要素を２つの部分イメージ11Ａ，12Ａに分配する。このとき，各部分イメージ11Ａ，12Ａが全体として判別不能となるように，ランダムに，または意図的に取出して各部分イメージ11Ａ，12Ａに分ける。もちろん，各部分イメージ11Ａ，12Ａに他のイメージを加えてもよい。部分イメージ11Ａ，12Ａが判読可能なものであってもよい。
【００２４】
図４は，表面側フィルム21上の部分イメージ21Ａと裏面側フィルム22上の部分イメージ22Ａとを重ねて合成したイメージ23Ａも判読不可能である例を示している（符号23は重ね合わされたフィルム21，22を示す）。このように，重ね合わさっても判読不可能なイメージを持つ包装体が混っていてもよい。判読可能な特定イメージで「はずれ」のような文字が現われるものでもよい。この場合に，少なくとも表面側フィルムの部分イメージは，「当たり」を生じさせるものも，「はずれ」を生じさせるものも，できるだけ似ていることが好ましい。少なくとも表面側フィルムの少なくとも部分イメージが描かれている領域が透明であれば，表面側フィルムの他の部分や裏面側フィルムが不透明であってもよい。
【００２５】
図５は他の例を示すものである。包装袋の表面側フィルム31には，波線よりなる楕円形と星印と，楕円形の外側の「きょうの金運は？」という文字と，楕円形の内側の意味不明なドットによる図柄とを含む絵柄31Ａが表わされている。裏面側フィルム32にも，表面側フィルム32とぴったり重なる位置に波線よりなる楕円形と星印と，楕円形の外側の「きょうの金運は？」という文字と，楕円形の内側の意味不明なドットによる図柄とを含む絵柄32Ａが表わされている。これらを重ね合わせると（フィルム31と32の重ね合わさったフィルム33上では），波線の楕円形の内側に現われる「ゆめがかなうよかん！」という判読可能な文字を含む特定絵柄33Ａが視認できる。
【００２６】
このように，包装袋の中から内容物を取出すと，表裏両面側フィルムが重なり，意味の理解可能な特定イメージが現われるので，ユーザは意外性に驚き，楽しむことができる。また特定イメージの意味として，当たり，はずれなどを設けておけば，それに応じて別途景品を贈呈するなどのサービスを付加することもできる。
【００２７】
上記実施例では包装体の例として包装袋を挙げているが，箱のようなものであっても側面を倒して表裏両面を重ねることができるものであれば，さまざまな形態が考えられる。単に表裏両面のみを有し，両側で結合し，両端が開口しているものでもよい。
【００２８】
さらに，特定イメージ，部分イメージに加えて他の模様，文字，図形等が表わされていてもよい。
【００２９】
表，裏のフィルムに加えて包装体の内部に１枚以上の他のフィルムを設けておき，３枚以上のフィルムの重ね合わせにより特定イメージが生じるようにしてもよい。
【００３０】
表，裏のフィルムは，図１に示すようにその全周にわたって結合（接着，溶着，折られている形態など）している必要はなく，内容物に応じて，適当に一部が開口しているか，明きや孔等があってもよい。内容物も菓子等に限定されず，他の固形物（粒状体，粉状体を含む），流動体，液体でもよい。
【符号の説明】
【００３１】
10  包装袋（包装体）
11，21，31  表面側フィルム
12，22，32  裏面側フィルム
11Ａ，21Ａ，31Ａ，12Ａ，22Ａ，32Ａ  部分イメージ
13Ａ，33Ａ  特定イメージ
19  被包装体（内容物）
【図１】
2014114051.tif 000003
【図２】
2014114051.tif 000004
【図３】
2014114051.tif 000005
【図４】
2014114051.tif 000006
【図５】
2014114051.tif 000007